(57)【特許請求の範囲】
【請求項１】
かご枠内にかご室を設置する際の水平出し、および前記かご室の走行時における振れ防止のために用いられる振れ止め手段を備えたエレベータかご室であって、
前記振れ止め手段は、
一側が前記かご室の天井に締結され、他側が水平投影面において前記かご枠の各面に空隙を形成して対面配置された取付面を有する振れ止め金具と、
前記取付面に締結され、前記かご枠と前記取付面との間に介装された粘弾性材製の防振具と、
前記防振具を前記取付面に締結するとともに、前記防振具の前記取付面からの突出量を調整することで前記かご室の水平出しを可能とする据付調整用ボルトと
を備え、
前記取付面から突出する前記防振具を挿入可能な凹部形状を有する凹みレール状の段差が、前記かご枠自体に設けられている
ことを特徴とするエレベータかご室。
【請求項２】
請求項１に記載のエレベータかご室において、
前記かご枠は、前記凹部形状を１箇所に有し、
前記振れ止め手段は、前記防振具および前記据付調整用ボルトを、前記かご枠の各面に対面配置された取付面に設ける代わりに、前記凹部形状を有する１つの取付面に設けることを特徴とするエレベータかご室。
【発明の詳細な説明】
【技術分野】
【０００１】
本発明は、かご枠内に設置されるかご室の傾きを調整するとともに、走行時におけるかご室の振動を防止するための機構を備えたエレベータかご室に関する。
【背景技術】
【０００２】
エレベータの据付改善、および昇降路スペースのミニマム化を実現する１つの方策として、かごの天井上に機器を直接設置するレイアウトが多くなっている。天井上に直接設置される主な機器としては、かご上ステーション（かご室電源供給ＢＯＸ）、ＢＧＭスピーカ、空調機器（換気装置、空気清浄機、エアコン）などが挙げられる。
【０００３】
また、今後のさらなる据付改善方策の１つとして、かごドア装置を天井直置きとする場合が考えられる。このような場合、かごサイズや設置するオプション機器の配置によっては、かご室に掛かる質量が偏芯し、かご室が傾く要因となる。
【０００４】
そこで、この対策として、かご枠内に設置されるかご室の傾きを調整するとともに、走行時におけるかご室の振動を防止するために、通常、弾性支持される振れ止め金具をかご室上部に設置する従来技術がある（例えば、特許文献１参照）。
【先行技術文献】
【特許文献】
【０００５】
【特許文献１】特開２００２−２７４７６９号公報
【発明の概要】
【発明が解決しようとする課題】
【０００６】
しかしながら、従来技術には、以下のような課題がある。
特許文献１による従来技術においては、まず、かご室組立において、かごの水平出しを実施し、水平が出た状態で、振れ止め金具をかご枠に固定させる。ここで、振れ止め金具をかご枠に固定させる場合には、振れ止め金具本体、あるいはかご枠と接触している防振具を締結しているボルトなどの固定具を緩める、取外す等の作業により、調整する必要がある。従って、調整作業の簡素化が望まれていた。
【０００７】
本発明は、前記のような課題を解決するためになされたものであり、かごの水平出し調整を容易化し、据え付け作業の改善を図ることのできるエレベータかご室を得ることを目的とする。
【課題を解決するための手段】
【０００８】
本発明に係るエレベータかご室は、かご枠内にかご室を設置する際の水平出し、およびかご室の走行時における振れ防止のために用いられる振れ止め手段を備えたエレベータかご室であって、振れ止め手段は、一側がかご室の天井に締結され、他側が水平投影面においてかご枠の各面に空隙を形成して対面配置された取付面を有する振れ止め金具と、取付面に締結され、かご枠と取付面との間に介装された粘弾性材製の防振具と、防振具を取付面に締結するとともに、防振具の取付面からの突出量を調整することでかご室の水平出しを可能とする据付調整用ボルトとを備え、取付面から突出する防振具を挿入可能な凹部形状を有する凹みレール状の段差が、かご枠自体に設けられているものである。
【発明の効果】
【０００９】
本発明に係るエレベータかご室によれば、据付調整用ボルトによる位置出し調整機能により防振具の位置調整を簡素化ことにより、かごの水平出し調整を容易化し、据え付け作業の改善を図ることのできるエレベータかご室を得ることができる。
【図面の簡単な説明】
【００１０】
【図１】本発明の実施の形態１におけるエレベータかご室の全体図である。
【図２】本発明の実施の形態１におけるエレベータかご室の天井平面図である。
【図３】本発明の実施の形態２におけるエレベータかご室の天井平面図である。
【図４】本発明の実施の形態３におけるエレベータかご室の天井平面図である。
【発明を実施するための形態】
【００１１】
以下、本発明のエレベータかご室の好適な実施の形態につき図面を用いて説明する。
【００１２】
実施の形態１．
図１は、本発明の実施の形態１におけるエレベータかご室の全体図である。図１に示したかご室１０は、かご枠（図示せず）内に配置され、かご床１１、かご床１１から立設された壁１２、壁１２の上端を覆う天井１３および天蓋１４を備えて構成されている。
【００１３】
図２は、本発明の実施の形態１におけるエレベータかご室の天井平面図であり、図１における視野Ａ部の天井平面図に相当する。図２に示すように、かご室１０（図示せず）とかご枠縦柱３０との間には、振れ止め手段２０が設けられている。
【００１４】
このような振れ止め手段２０は、通常、かご室１０の両側（左右）に設置されている。そして、本実施の形態１における振れ止め手段２０は、振れ止め金具２１、防振具２２、および据付調整用ボルトに相当するジャッキボルト２３を備えて構成されている。なお、以下では、据付調整用ボルトとしてジャッキボルト２３を用いる場合について説明するが、防振具の取付面からの突出量を調整することでかご室の水平出しを可能とする機構であれば、ジャッキボルト以外のものを据付調整用ボルトとして用いても構わない。振れ止め金具２１は、一側が天蓋１４の上面に締結され（図２における右側部分に相当）、他側には水平投影面においてかご枠縦柱３０の各面に空隙を形成して対面配置された取付面２１ａを有している。
【００１５】
本実施の形態１における図２の構成においては、防振具２２およびジャッキボルト２３が、取付面２１ａの３面にそれぞれ配置されている状態を示している。防振具２２は、ゴム等の粘弾性材製であり、振れ止め金具２１の取付面２１ａのそれぞれに、ジャッキボルト２３により締結されている。
【００１６】
このように、本実施の形態１における振れ止め手段２０は、かご枠縦柱３０を前後／左右で支えるための防振具２２にジャッキボルト２３での調整機能が備えられている。すなわち、ジャッキボルト２３を調整することで、防振具の突出位置の調整が可能となる。
【００１７】
この構成により、作業員は、かご室据付け調整時の水平出しを、ジャッキボルト２３による調整で行うことが可能となる。この結果、かご室１０の軽微な倒れを、振れ止め金具２１本体を固定しているボルト等を外して調整する必要がなくなり、かごの水平出し調整を容易化し、据え付け作業の改善を図ることができる。
【００１８】
以上のように、実施の形態１によれば、据付調整用ボルトによる位置出し調整機能により防振具の位置を調整することで、かご室の水平出しを容易に行うことが可能となる。この結果、固定具を緩める、取外すといった従来の作業が不要となり、かごの水平出し調整を容易化し、据え付け作業の改善を図ることのできるエレベータかご室を実現できる。
【００１９】
実施の形態２．
本実施の形態２では、先の実施の形態１とはかご枠縦柱の構成が異なるエレベータかご室について説明する。図３は、本発明の実施の形態２におけるエレベータかご室の天井平面図であり、図１における視野Ａ部の天井平面図に相当する。図３に示すように、かご室１０（図示せず）とかご枠縦柱３１との間には、振れ止め手段２０が設けられている。
【００２０】
このような振れ止め手段２０は、通常、かご室１０の両側（左右）に設置されている。そして、本実施の形態２における振れ止め手段２０は、振れ止め金具２１、防振具２２、およびジャッキボルト２３を備えて構成されており、先の実施の形態１と同様の構成である。振れ止め金具２１は、一側が天蓋１４の上面に締結され（図３における右側部分に相当）、他側には水平投影面においてかご枠縦柱３１の各面に空隙を形成して対面配置された取付面２１ａを有している。
【００２１】
本実施の形態２における図３の構成においては、先の実施の形態１における図２と同様に、防振具２２およびジャッキボルト２３が、取付面２１ａの３面にそれぞれ配置されている状態を示している。防振具２２は、ゴム等の粘弾性材製であり、振れ止め金具２１の取付面２１ａのそれぞれに、ジャッキボルト２３により締結されている。
【００２２】
また、本実施の形態２では、かご枠縦柱３１の形状が、図３に示すように、振れ止め金具２１に設置されるジャッキボルト２３を有した防振具２２が挿入可能な凹部形状に加工されている。このような形状を備えることで、かご室１０をかご枠に支える保持力が強化される。
【００２３】
また、防振具２２に勾配を設けることにより、この防振具２２をかご枠縦柱３１の凹みレール部にスムーズに挿入することができ、据付け調整の作業性が向上する。また、かご枠縦柱３１の凹み部が位置調整のガイドの機能を発揮し、位置合せが容易となる。さらに、かご枠縦柱３１の形状に凹みレール状の段差を設けたことにより、かご枠縦柱３１の強度アップにも繋がり、かご枠柱素材の薄肉化などによるコスト低減、環境負荷低減にも寄与する構造となる。
【００２４】
以上のように、実施の形態２によれば、据付調整用ボルトによる位置出し調整機能により防振具の位置を調整することで、かご室の水平出しを容易に行うことが可能となる。この結果、固定具を緩める、取外すといった従来の作業が不要となり、かごの水平出し調整を容易化し、据え付け作業の改善を図ることのできるエレベータかご室を実現できる。
【００２５】
さらに、かご枠縦柱は、防振具が挿入可能な凹部形状を有するように加工されている。この結果、据付け調整の作業性がさらに向上するとともに、かご枠の強度アップに伴う薄肉化などによるコスト低減、環境負荷低減にも寄与することができる。
【００２６】
実施の形態３．
先の実施の形態１、２では、防振具２２およびジャッキボルト２３が、取付面２１ａの３面にそれぞれ配置されている場合について説明した。これに対して、本実施の形態３では、防振具２２およびジャッキボルト２３が、凹部形状を有するかご枠縦柱に対応して、取付面２１ａの１面のみに配置されている場合について説明する。
【００２７】
図４は、本発明の実施の形態３におけるエレベータかご室の天井平面図であり、図１における視野Ａ部の天井平面図に相当する。図４に示すように、かご室１０（図示せず）とかご枠縦柱３２との間には、振れ止め手段２０が設けられている。
【００２８】
このような振れ止め手段２０は、通常、かご室１０の両側（左右）に設置されている。そして、本実施の形態３における振れ止め手段２０は、振れ止め金具２１、防振具２２、およびジャッキボルト２３を備えて構成されており、先の実施の形態１、２と基本的には同様の構成である。振れ止め金具２１は、一側が天蓋１４の上面に締結され（図４における右側部分に相当）、他側には水平投影面においてかご枠縦柱３２の各面に空隙を形成して対面配置された取付面２１ａを有している。
【００２９】
本実施の形態３における図４の構成においては、先の実施の形態２における図３とは異なり、凹部形状がかご枠縦柱３２の１面のみに設けられており、防振具２２およびジャッキボルト２３が、この凹部形状に対面する１つの取付面２１ａのみに配置されている状態を示している。防振具２２は、ゴム等の粘弾性材製であり、振れ止め金具２１の取付面２１ａに、ジャッキボルト２３により締結されている。
【００３０】
また、本実施の形態３では、先の実施の形態２と同様に、かご枠縦柱３２の形状が、図３に示すように、振れ止め金具２１に設置されるジャッキボルト２３を有した防振具２２が挿入可能な形状に加工されている。このような形状を備えることで、かご室１０をかご枠に支える保持力が強化される。
【００３１】
また、防振具２２に勾配を設けることにより、この防振具２２をかご枠縦柱３２の凹みレール部にスムーズに挿入することができ、据付け調整の作業性が向上する。また、かご枠縦柱３２の凹み部が位置調整のガイドの機能を発揮し、位置合せが容易となる。さらに、かご枠縦柱３２の形状に凹みレール状の段差を設けたことにより、かご枠縦柱３２の強度アップにも繋がり、かご枠柱素材の薄肉化などによるコスト低減、環境負荷低減にも寄与する構造となる。
【００３２】
さらに、本実施の形態３においては、比較的軽量なかご室については、防振具２２およびジャッキボルト２３の設置箇所を１箇所に削減することで、先の実施の形態２とほぼ同等の機能による据付調整の改善を図った上で、低コスト化を実現している。
【００３３】
以上のように、実施の形態３によれば、据付調整用ボルトによる位置出し調整機能により防振具の位置を調整することで、かご室の水平出しを容易に行うことが可能となる。この結果、固定具を緩める、取外すといった従来の作業が不要となり、かごの水平出し調整を容易化し、据え付け作業の改善を図ることのできるエレベータかご室を実現できる。
【００３４】
さらに、かご枠縦柱は、防振具が挿入可能な形状に加工されている。この結果、据付け調整の作業性がさらに向上するとともに、かご枠の強度アップに伴う薄肉化などによるコスト低減、環境負荷低減にも寄与することができる。さらに、かご室が軽量な場合等の設置条件に応じて、防振具の設置箇所を削減することで、据付調整の改善を図った上で、低コスト化を実現できる。
【符号の説明】
【００３５】
１０  かご室、１１  かご床、１２  壁、１３  天井、１４  天蓋、２０  振れ止め手段、２１  振れ止め金具、２１ａ  取付面、２２  防振具、２３  ジャッキボルト（据付調整用ボルト）、３０、３１、３２  枠縦柱。
【図１】
0005733926.tif 000002
【図２】
0005733926.tif 000003
【図３】
0005733926.tif 000004
【図４】
0005733926.tif 000005